(57)【要約】【課題】表示装置を保持するために用いられるスタンドにおいて、デザイン性を損なうことなく表示装置の表示画面の方向を簡易な構造で容易に変化させることができるようにする。【解決手段】スタンド（１）は、表示装置（１０）を固定して保持する基体部（２）と、スタンド（１）を水平面（２０）に設置した状態で、基体部（２）を水平方向に回転可能に支持するとともに、基体部（２）の支持部分を上下に昇降させる昇降支持部（３）と、基体部（２）の昇降状態に関わらず水平面（２０）に接触し、基体部（２）の回転に応じて水平面（２０）上を移動する移動接触部（４）と、昇降支持部（３）によって基体部（２）が所定位置まで下降したときに、水平面（２０）に接触して基体部（２）の回転を抑制する回転抑制部（５）と、を有する。【選択図】図２
2016061995.tif 000002
【特許請求の範囲】
【請求項１】
表示装置を保持するために用いられるスタンドであって、
該スタンドは、表示装置を固定して保持する基体部と、
前記スタンドを水平面に設置した状態で、前記基体部を水平方向に回転可能に支持するとともに、該基体部の支持部分を上下に昇降させる昇降支持部と、
前記昇降支持部によって前記基体部が所定位置まで下降したときに、前記水平面に接触して前記基体部の回転を抑制する回転抑制部と、を有し、
前記基体部には、該基体部の支持部分の昇降状態に関わらず前記水平面に接触し、前記基体部の回転に応じて前記水平面上を移動する移動接触部が設けられることを特徴とするスタンド
【請求項２】
前記移動接触部は、前記水平面に接触して回転するローラを有することを特徴とする請求項１に記載のスタンド。
【請求項３】
前記回転抑制部は、前記水平面に接触したときに前記水平面との摩擦力より前記基体部の回転を抑制するゴム部材により構成されることを特徴とする請求項１または２に記載のスタンド。
【請求項４】
前記基体部は、一本のパイプ状の部材を所定形状に曲成して形成され、
前記移動接触部は、前記パイプ状の部材の長手方向の両端部に設けられ、
前記昇降支持部は、前記パイプ状の部材の長手方向の中間位置に設けられ、
前記回転抑制部は、前記パイプ状部材における前記昇降支持部とそれぞれの前記移動接触部との間の位置に２か所設けられることを特徴とする請求項１〜３のいずれか１に記載のスタンド。
【発明の詳細な説明】
【技術分野】
【０００１】
本発明は、スタンドに関し、より詳細には、表示装置を支持するためのスタンドに関する。
【背景技術】
【０００２】
テレビやモニターなどの薄型の表示装置が普及しているが、これら表示装置では、多くの場合、スタンドを取り付けて表示装置を保持する形態がとられる。スタンドには、表示装置の視聴者がどのような位置にいても、表示装置を回転させてその表示画面を視聴者に正対可能とするスイベル機構を備えることが、その表示画面の大小に関わらず求められる。
【０００３】
表示画面の角度調整を可能にしたスタンドに関して、例えば特許文献１には、底部に複数の固定脚およびキャスターを有するキャスター付き架台が開示されている。このキャスター付き架台は、上部に物品が載せられる台座と、その台座の底面から下方に延びる回転軸と、その回転軸を中心として回転可能に、かつ回転軸の軸方向に摺動可能に設けられた回転板と、台座の底面において、回転軸を中心として円弧状に形成された１つ以上のスロープと、回転板の上面に固定され、各スロープに沿ってそれぞれ転がるように配置された１つ以上のローラとを有し、複数のキャスターが回転板の底面に固定されている。この構成により、架台の移動ならびに架台の向きおよび高さの調整を容易に行うことができるようにするとともに、架台の固定時に床面を損傷することがないようにするものとされている。
【先行技術文献】
【特許文献】
【０００４】
【特許文献１】特許第３６４１５９８号公報
【発明の概要】
【発明が解決しようとする課題】
【０００５】
近年、テレビ等の表示装置ではその画面周囲のキャビネットの幅が狭い所謂狭額縁化が進み、表示装置の表示部だけでは製品としてデザイン上の個性を発揮するのが難しく、商品として差別化を図る範囲が限られてきている。そこで差別化のための重要な要素として、表示装置に取り付けるスタンドのデザイン性が求められている。
しかしながら、スタイリッシュで特徴的なデザインのスタンドには形状の制約があり、スイベル機構を備えた表示装置で従来採用されてきたスイベルヒンジ構造をスタンドに搭載することが難しく、スイベル機構の搭載を断念せざるを得なかった。
【０００６】
特許文献１のキャスター付き架台は、台座に対するキャスターの上下方向の位置関係を変えることで、台座上に載せたテレビ等の表示画面の角度を変化させることができる。しかしながらこのキャスター付き架台は、テレビ台として構成されるもので、構造が複雑であり、また構造物として大型のものとなり、薄型表示装置のスタンドのようなコンパクトな構造で、スタイリッシュなデザイン上の個性を付与することは難しい。
【０００７】
本発明は、上述のごとき実情に鑑みてなされたものであり、表示装置を保持するために用いられるスタンドにおいて、デザイン性を損なうことなく表示装置の表示画面の方向を簡易な構造で容易に変化させることができるようにしたスタンドを提供することを目的とする。
【課題を解決するための手段】
【０００８】
上記課題を解決するために、本発明の第１の技術手段は、表示装置を保持するために用いられるスタンドであって、該スタンドは、表示装置を固定して保持する基体部と、前記スタンドを水平面に設置した状態で、前記基体部を水平方向に回転可能に支持するとともに、該基体部の支持部分を上下に昇降させる昇降支持部と、前記昇降支持部によって前記基体部が所定位置まで下降したときに、前記水平面に接触して前記基体部の回転を抑制する回転抑制部と、を有し、前記基体部には、該基体部の支持部分の昇降状態に関わらず前記水平面に接触し、前記基体部の回転に応じて前記水平面上を移動する移動接触部が設けられることを特徴としたものである。
【０００９】
第２に技術手段は、前記移動接触部が、前記水平面に接触して回転するローラを有することを特徴としたものである。
【００１０】
第３の技術手段は、第１または第２の技術手段において、前記回転抑制部が、前記水平面に接触したときに前記水平面との摩擦力より前記基体部の回転を抑制するゴム部材により構成されることを特徴としたものである。
【００１１】
第４の技術手段は、第１〜第３のいずれか１の技術手段において、前記基体部が、一本のパイプ状の部材を所定形状に曲成して形成され、前記移動接触部が、前記パイプ状の部材の長手方向の両端部に設けられ、前記昇降支持部が、前記パイプ状の部材の長手方向の中間位置に設けられ、前記回転抑制部が、前記パイプ状部材における前記昇降支持部とそれぞれの前記移動接触部との間の位置に２か所設けられることを特徴としたものである。
【発明の効果】
【００１２】
本発明によれば、表示装置を保持するために用いられるスタンドにおいて、デザイン性を損なうことなく表示装置の表示画面の方向を簡易な構造で容易に変化させることができるようにしたスタンドを提供することができる。
【図面の簡単な説明】
【００１３】
【図１】表示装置として構成されるテレビを本発明に係る実施形態のスタンドにより保持した状態を示す図である。
【図２】本発明によるスタンドの第１の実施形態の構成および動作を説明するための図である。
【図３】移動接触部の底面側の斜視外観図である。
【図４】昇降支持部の構成例をさらに具体的に示す図である。
【図５】昇降支持部の断面構成図である。
【図６】本発明によるスタンドの第２の実施形態の構成および動作を説明するための図である。
【図７】本発明によるスタンドの第３の実施形態を説明するための図である。
【図８】本発明によるスタンドの第４の実施形態を説明するための図である。
【発明を実施するための形態】
【００１４】
（実施形態１）
図１は、表示装置として構成されるテレビを本発明に係る実施形態のスタンドにより保持した状態を示す図で、図１（Ａ）は、テレビを保持したスタンドの上面図、図１（Ｂ）はその正面図、図１（Ｃ）はその側面図である。
【００１５】
図１に示すように、スタンド１は、その上部に表示装置１０を保持した状態で設置可能とされる。表示装置１０は、例えば薄型のテレビであり、スタンド１の回転動作により水平方向に回転し、表示装置１０の表示画面の向きを変化させることができる。スタンド１の構成と動作を以下に詳細に説明する。
【００１６】
図２は、本発明によるスタンドの第１の実施形態の構成および動作を説明するための図で、図２（Ａ）はスタンドの全体正面図、図２（Ｂ）は、スタンドの基体部が下方に下降したときの状態を説明する図、図２（Ｃ）はスタンドの基体部が上方に上昇したときの状態を説明する図である。図中、１はスタンド、２は基体部、３は昇降支持部、４は移動接触部、５は回転抑制部、６は表示装置固定部である。
【００１７】
スタンド１は、表示装置１０を固定して保持する基体部２を備える。基体部２には、２か所の表示装置固定部６が設けられ、ここに表示装置１０が固定保持される。本実施形態では、基体部２は、１本のパイプ状の金属部材を所定形状に曲成して形成される。
基体部２の長手方向のほぼ中央部には、リフタ機能を有する昇降支持部３が設けられる。昇降支持部３は、スタンド１を床面などの水平面２０に設置した状態で、基体部２を水平方向に回転可能に支持するともに、基体部２の支持部分を上下に昇降させる機能を有する。昇降支持部３をユーザが操作することにより、昇降支持部３により支持される基体部２の支持部分を上下方向に任意に昇降させることができる。また昇降支持部３に支持された基体部２が回転することにより、スタンド１に保持された表示装置１０の画面の向きを回転させることができる。
【００１８】
基体部２の長手方向の両端部には、スタンド１を設置した水平面２０に接触する移動接触部４が設けられる。移動接触部４は、昇降支持部３による基体部２の支持部分の昇降状態に関わらず、スタンド１を設置した水平面２０に常に接触する。これは昇降支持部３により基体部中央の支持部分が上昇したときにも、基体部２の自重によりその両端部は水平面から離間せずに、両端部の移動接触部４が水平面２０に接触した状態が保たれることによる。また、表示装置１０の重さによっても移動接触部４が水平面２０に押さえつけられて接触状態が維持される。移動接触部４は、水平面２０に表示装置１０を支持する支持点を形成する。
【００１９】
図３に移動接触部４の底面側の斜視外観図を示す。移動接触部４には、スタンド１を設置する水平面２０に接触して回転するローラ４１が設けられる。昇降支持部３の回転機構により基体部２が回転した場合、移動接触部４に設けられたローラ４１が回転することで、移動接触部４が水平面２０に接触した状態のまま基体部２を水平方向に回転させることができる。
【００２０】
図２に戻ってさらに説明する。基体部２の昇降支持部３と、基体部２の両端に設けられたそれぞれの移動接触部４との間には、スタンド１を設置した水平面２０に接触して基体部２の回転を抑制する回転抑制部５が設けられる。
図２（Ｂ）に基体部２を下降させたときの状態を示す。昇降支持部３によって基体部２の支持部分が所定位置まで下降したときに、基体部２の下側に設けられている回転抑制部５が、スタンド１を設置した水平面２０に接触して基体部２の回転を抑制する。回転抑制部５は、例えば水平面２０に接触したときに水平面２０との摩擦力より基体部２の回転を抑制するゴム部材により構成される。
【００２１】
昇降支持部３が基体部２の支持部分を降下させると、基体部２に設けられている回転抑制部５が水平面２０に接触して降下が停止し、さらに基体部２を降下させようとする動作により、昇降支持部３の底面が水平面２０から離間して上方向に上昇する。
図２（Ｂ）のように、基体部２を降下させて回転抑制部５を水平面２０に接触させた状態では、スタンド１は、２か所の回転抑制部５と、基体部２の両端の移動接触部４の４点で水平面２０上に支持される。
【００２２】
図２（Ｃ）に基体部を上昇させたときの状態を示す。昇降支持部３の底面が水平面２０から離間した状態で基体部２の支持部分を上昇させる動作を行うと、昇降支持部３の底面が下方向に下降して水平面２０に接触し、さらに基体部２を上昇させる動作により、基体部２の支持部分が上方に上昇する。これにより回転抑制部５が水平面２０から上方に離間する。この状態では、スタンド１は、昇降支持部３と、基体部２の両端の移動接触部４の３点で水平面２０上に支持される。
回転抑制部５が水平面２０から離間することにより、昇降支持部３に支持された基体部２の水平方向への回転が可能になる。基体部２が回転するとき、その両端部の移動接触部４は水平面２０に接触しているが、その底面にはローラ４１が設けられているため、回転を阻害することなく基体部２を水平方向に回転させることができる。これにより、基体部２に固定された表示装置１０の表示画面の向きを水平方向に任意に回転させることができる。
【００２３】
図４は、昇降支持部の構成例をさらに具体的に示す図で、図４（Ａ）は昇降支持部の斜視外観図、図４（Ｂ）は昇降支持部の上面図である。昇降支持部３は、本体部３１、操作レバー３２、レバー軸３３、ベース部３４を備える。レバー軸３３および本体部３１は、ベース部３４に対して回転可能に取り付けられる。また、レバー軸３３は、本体部３１の内部で回転可能に取り付けられる。
レバー軸３３には操作レバー３２が固定され、ユーザが操作レバー３２を操作することでレバー軸３３が回転する。このときに本体部３１に上下方向斜めに設けられた溝部３５に沿って操作レバー３２が移動し、これに伴いレバー軸３３に対して本体部３１が上下に移動する。本体部３１にはスタンドの基体部２が取り付けられ、レバー軸３３の回転に応じて基体部２が上昇または降下する。図４（Ｂ）は、操作レバー３２を操作して基体部２を上昇させたときの状態を示す。
【００２４】
レバー軸３３と本体部３１は、ベース部３４に対して水平方向に回転可能であり、これにより本体部３１に取り付けた基体部２が水平方向に回転可能とされる。ここでベース部３４には、基体部２の可動範囲ｑを制限する壁部３４ａが設けられ、壁部３４ａによる可動範囲ｑ内で基体部２を水平方向に回転可能にしている。壁部３４ａによる可動範囲ｑは適宜任意に設定することができる。
【００２５】
図５は、昇降支持部の断面構成図で、図５（Ａ）は基体部２を降下させた状態を示す図、図５（Ｂ）は基体部２を上昇させた状態を示す図である。本体部３１には基体部２が一体的に固定され、ベース部３４に対して回転可能に取り付けられる。またレバー軸３３は、支持軸３６によりベース部３４に対して回転可能が取り付けられるとともに、本体部３１の内部で本体部３１に対して回転可能とされる。
本体部３１の内部で本体部３１に対してレバー軸３３が回転するときに、レバー軸３３の上下方向に本体部３１が昇降する。また、本体部３１と基体部２がベース部３４に対して回転するとき、レバー軸３３も一体的に回転する。
【００２６】
レバー軸３３に固定される操作レバー（図示せず）を操作することによりレバー軸３３が回転すると、レバー軸３３に対して本体部３１および基体部２が昇降する。図５（Ａ）では、レバー軸３３の回転により本体部３１および基体部２が降下している。この状態では、基体部２に設けられた回転抑制部５（図３）が水平面に先に接触するため、昇降支持部３のベース部３４は、水平面から上方に離間する。また図５（Ｂ）では、レバー軸３３の回転により本体部３１および基体部２が上昇する。この状態では、ベース部３４が水平面上に接触して支持され、本体部３１と基体部２が水平面に対して上昇する。ここでは基体部２に設けられた回転抑制部５が水平面から上方に離間し、ベース部３４に対する基体部２の回転が可能となる。
【００２７】
（実施形態２）
図６は、本発明によるスタンドの第２の実施形態の構成および動作を説明するための図で、図６（Ａ）はスタンドの全体正面図、図６（Ｂ）は、スタンドの基体部が下方に下降したときの状態を説明する図、図６（Ｃ）はスタンドの基体部が上方に上昇したときの状態を説明する図である。
【００２８】
本実施形態のスタンド１では、第１の実施形態に比して昇降支持部３の底部の構成が異なっている。すなわち、上記実施形態１のスタンド１は、昇降支持部３の底部にはベース部３４が設けられ、昇降支持部３のレバー軸３３に対する操作に伴い、ベース部３４が水平面２０に接触して基体部２の回転を可能としていた。
これに対して本実施形態では、昇降支持部３の底部に突起部３７を設ける。突起部３７は、実施形態１のベース部３４に対して、下方向に突起するように突設することができる。突起部３７の先端は、水平面２０に接触して基体部２の回転軸として機能する。
【００２９】
昇降支持部３が基体部２の支持部分を降下させると、基体部２に設けられている回転抑制部５が水平面２０に接触して降下が停止し、さらに基体部２を降下させようとする動作により、昇降支持部３の底部の突起部３７が水平面２０から離間して上方向に上昇する。
図６（Ｂ）のように、基体部２を降下させて回転抑制部５を水平面２０に接触させた状態では、スタンド１は、２か所の回転抑制部５と、基体部２の両端の移動接触部４の４点で水平面２０上に支持される。このときに突起部３７は、基体部２の内部に収容されて外部からは視認できなくなっている。
【００３０】
図６（Ｃ）に基体部を上昇させたときの状態を示す。昇降支持部３の底部の突起部３７が水平面２０から離間した状態で基体部２の支持部分を上昇させる動作を行うと、昇降支持部３の突起部３７が下方向に下降して水平面２０に接触し、さらに基体部２を上昇させる動作により、基体部２の支持部分が上方に上昇する。これにより回転抑制部５が水平面２０から上方に離間する。この状態では、スタンド１は、昇降支持部３の突起部３７と、基体部２の両端の移動接触部４の３点で水平面２０上に支持される。
回転抑制部５が水平面２０から離間することにより、昇降支持部３に支持された基体部２の水平方向への回転が可能になる。このときに昇降支持部３の突起部３７が基体部２の回転軸となる。基体部２が回転するとき、その両端部の移動接触部４は水平面２０に接触しているが、その底面にはローラ４１が設けられているため、回転を阻害することなく基体部２を水平方向に回転させることができる。これにより、基体部２に固定された表示装置１０の表示画面の向きを水平方向に任意に回転させることができる。
本実施形態は、上記の突起部３７の構成を除いて実施形態１の構成と同様であるため、他の部分についての繰り返しの説明は省略する。
【００３１】
（実施形態３）
図７は、本発明によるスタンドの第３の実施形態を説明するための図で、表示装置として構成されるテレビを本実施形態のスタンドにより保持した状態を示す図である。図７（Ａ）は、テレビを保持したスタンドの上面図、図７（Ｂ）はその正面図、図７（Ｃ）はその側面図である。
本実施形態のスタンド１は、基体部２を上面からみたときにコの字型になるように形成し、コの字型の基体部２のほぼ中央部にリフタ機能を有する昇降支持部３を備え、基体部２の両方の先端部に移動接触部４が設けられる。そして昇降支持部３と移動接触部４との間のコの字型の曲折部には、回転抑制部５が設けられる。
【００３２】
昇降支持部３によって、基体部２の支持部分を降下させると、基体部２に設けられている回転抑制部５が水平面２０に接触して降下が停止し、さらに基体部２を降下させようとする動作により、昇降支持部３の底面がスタンド１を設置した水平面から離間して上方向に上昇する。回転抑制部５を水平面に接触させた状態では、スタンド１は、２か所の回転抑制部５と、基体部２の両端の移動接触部４の４点で水平面上に支持される。
【００３３】
昇降支持部３の底部が水平面から離間した状態で基体部２の支持部分を上昇させる動作を行うと、昇降支持部３の底面が下方向に下降して水平面に接触し、さらに基体部２を上昇させる動作により、基体部２の支持部分が上方に上昇する。
これにより回転抑制部５が水平面から上方に離間する。この状態では、スタンド１は、昇降支持部３と、基体部２の両端の移動接触部４の３点で水平面上に支持される。
回転抑制部５が水平面から離間することにより、昇降支持部３に支持された基体部２の水平方向への回転が可能になる。基体部２が回転するとき、その両端部の移動接触部４は水平面に接触しているが、その底面にはローラが設けられているため、回転を阻害することなく基体部２を水平方向に回転させることができる。これにより、基体部２に固定された表示装置１０の表示画面の向きを水平方向に任意に回転させることができる。
【００３４】
（実施形態４）
図８は、本発明によるスタンドの第４の実施形態を説明するための図で、表示装置として構成されるテレビを本実施形態のスタンドにより保持した状態を示す図である。図８（Ａ）は、テレビを保持したスタンドの上面図、図８（Ｂ）はその正面図、図８（Ｃ）はその側面図である。
本実施形態のスタンドは、昇降部１ａ、第１支持部１ｂ、および第２支持部１ｃの３つの部材から構成されている。昇降部１ａは、表示装置の幅方向のほぼ中央部に取り付けられる部材で、リフタ機能を有する昇降支持部３を備える。また第１支持部１ｂおよび第２支持部１ｃは、互いに同様の構造及び形状を有するもので、昇降部１ａの両側位置で表示装置１０に取り付けられる。第１支持部１ｂおよび第２支持部１ｃは、アーチ状に形成されて前後に２か所の接地部分（水平面に接触する部分）を有する。これらのうち前側の一方の接地部分には、移動接触部４が設けられ、後側の接地部分は、回転抑制部５が設けられる。
【００３５】
昇降支持部３は、昇降部１ａを床面などの水平面に設置した状態で、表示装置１０を水平方向に回転可能に支持するともに、表示装置１０の支持部分を上下に昇降させる機能を有する。昇降支持部３をユーザが操作することにより、昇降支持部３により支持される非表示装置１０の支持部分を上下方向に任意に昇降させることができる。
昇降支持部３の底部が水平面から離間した状態では、第１支持部１ｂおよび第２支持部１ｃの移動接触部４と回転抑制部５とが水平面に接触している。表示装置１０は、２か所の移動接触部４と２か所の回転抑制部５との４点で水平面上に支持される。この状態では、第１支持部１ｂと第２支持部１ｃの回転抑制部５が水平面に接触しているため、表示装置１０自体の回転は抑制される。
【００３６】
昇降支持部３の底部が水平面から離間した状態で表示装置１０の支持部分を上昇させる動作を行うと、昇降支持部３の底面が下方向に下降して水平面に接触し、さらに表示装置１０の支持部分を上昇させる動作により、表示装置１０自体が上方に上昇する。このとき、昇降支持部３が水平面に接触して表示装置１０の重量を支持する位置は、表示装置１０の画面に対して背面側の後方位置に設定されている。ここで昇降支持部３によって表示装置１０が上昇すると、第１支持部１ｂと第２支持部１ｃの後方側が水平面から上昇し、第１支持部１ｂと第２支持部１ｃにそれぞれ設けられている回転抑制部５が水平面から上方に離間する。この状態では、スタンド１は、昇降支持部３と、二つの移動接触部４の３点で水平面上に支持される。
【００３７】
回転抑制部５が水平面から離間することにより、昇降支持部３に支持された表示装置１０の水平方向への回転が可能になる。表示装置１０が回転するとき、第１支持部１ｂおよび第２支持部１ｃの移動接触部４は水平面に接触しているが、その底面にはローラが設けられているため、回転を阻害することなく基体部２を水平方向に回転させることができる。これにより、表示装置１０の表示画面の向きを水平方向に任意に回転させることができる。
【００３８】
上記の構成により、表示装置の表示画面の方向を簡易な構造で容易に変化させることができる。なお、本発明に係るスタンドは、上記実施形態の構成に限定されることなく特許請求の範囲を逸脱しない範囲で適宜変更することができる。
例えばスタンド１を構成する基体部２は、上記のようなパイプ状の部材を曲成したものだけでなく、矩形もしくは異形断面を有する棒状部材や板状部材を用いて、あるいはこれらの部材を組みわせて構成することができる。また、昇降支持部３は、基体部２の支持部分を昇降できる機構を適宜採用することができる。また、移動接触部４は、ローラによる構成の他、回転ボールを用いたり、あるいは滑り性のよい材質で接触面を形成する、等の構成をとることができる。これらの構成により、本発明による効果を奏することができる。
【００３９】
上記の実施形態で記載されている技術的特徴（構成要件）は、お互いに組み合わせ可能であり、組み合わせることにより、新しい技術的特徴を形成することができる。
【符号の説明】
【００４０】
１…スタンド、１ａ…昇降部、１ｂ…第１支持部、１ｃ…第２支持部、２…基体部、３…昇降支持部、４…移動接触部、５…回転抑制部、６…表示装置固定部、１０…表示装置、２０…水平面、３１…本体部、３２…操作レバー、３３…レバー軸、３４…ベース部、３４ａ…壁部、３５…溝部、３６…支持軸、４１…ローラ。
【図１】
2016061995.tif 000003
【図２】
2016061995.tif 000004
【図３】
2016061995.tif 000005
【図４】
2016061995.tif 000006
【図５】
2016061995.tif 000007
【図６】
2016061995.tif 000008
【図７】
2016061995.tif 000009
【図８】
2016061995.tif 000010